(57)【要約】      （修正有）【課題】既存のメモリーカードに対し、マルチタスク処理および異なる型の携帯型デバイスとのデータ送受信を可能にするメモリーカードアダプタを提供する。【解決手段】処理ユニット１３２は、無線送信受信ユニット１４から第１アクセス信号Ｓ１を受信すると、Ｍｉｃｒｏ  ＳＤカードスロット１１に収容されたＭｉｃｒｏ  ＳＤカード２を、動的スイッチ１３１によって無線送信受信ユニット１４に切替接続させる。切替接続は、メモリーカードインターフェース１２のタスク状態がアイドル状態であることを検出して行う。また、メモリーカードインターフェース１２から第２アクセス信号Ｓ２を受信すると、同様にＭｉｃｒｏ  ＳＤカード２をメモリーカードインターフェース１２に切替接続させる。切替接続は、無線送信受信ユニット１４の動作状態が中断可能であることを検出して行う。【選択図】図１
2013218649.tif 000002
【特許請求の範囲】
【請求項１】
Ｍｉｃｒｏ  ＳＤカードスロット、メモリーカードインターフェース、処理チップ、無線送信受信ユニットを含む、メモリーカードアダプターであって、
該Ｍｉｃｒｏ  ＳＤカードスロットが、Ｍｉｃｒｏ  ＳＤカードを収容し、
該メモリーカードインターフェースが、携帯型デバイスと電気的に接続され、
該処理チップが、
該Ｍｉｃｒｏ  ＳＤカードスロットおよび該メモリーカードインターフェースと電気的に接続される一つの動的スイッチと、
該動的スイッチと電気的に接続される一つの処理ユニットと、
を含み、
該無線送信受信ユニットが、該動的スイッチと電気的に接続され、
このうち、該無線送信受信ユニットが、第１アクセス信号を該動的スイッチに送信するとき、該動的スイッチが該メモリーカードインターフェースのタスク状態を検出し、該タスク状態がアイドル状態であるとき、該処理ユニットが該動的スイッチを該無線送信受信ユニットに切替接続させ、さらに該動的スイッチに該第１アクセス信号を該Ｍｉｃｒｏ  ＳＤカードスロットに送信させ、これにより、該無線送信受信ユニットが該Ｍｉｃｒｏ  ＳＤカードのデータアクセスを行う、
メモリーカードアダプター。
【請求項２】
該動的スイッチがさらにレジスタを含み、該動的スイッチを該無線送信受信ユニットに切替接続させ、さらに該メモリーカードインターフェースが第２アクセス信号を該動的スイッチに送信するとき、該レジスタが該第２アクセス信号を記憶し、該動的スイッチが該無線送信受信ユニットの動作状態を検出し、該動作状態が中断可能であるとき、該処理ユニットが動的スイッチを該メモリーカードインターフェースに切替接続させ、さらに該動的スイッチに該レジスタの第２アクセス信号を該Ｍｉｃｒｏ  ＳＤカードスロットに送信させ、これにより、該メモリーカードインターフェースが該Ｍｉｃｒｏ  ＳＤカードのデータアクセスを行う、請求項１に記載のメモリーカードアダプター。
【請求項３】
該無線送信受信ユニットが、Ｗｉｍａｘ、Ｗｉ−Ｆｉ、ＲＦ、Ｂｌｕｅｔｏｏｔｈ、ＧＰＳおよびＧＳＭのうちの１種である、請求項１に記載のメモリーカードアダプター。
【請求項４】
該処理ユニットが、マイクロコントローラ（Ｍｕｌｔｉｐｏｉｎｔ  Ｃｏｎｔｒｏｌ  Ｕｎｉｔ、ＭＣＵ）および中央処理装置（Ｃｅｎｔｒａｌ  Ｐｒｏｃｅｓｓｉｎｇ  Ｕｎｉｔ、ＣＰＵ）のうちの１種である、請求項１に記載のメモリーカードアダプター。
【請求項５】
該携帯型デバイスが、デジタルカメラ、携帯情報端末（Ｐｅｒｓｏｎａｌ  Ｄｉｇｉｔａｌ  Ａｓｓｉｓｔａｎｔ、ＰＤＡ）、タブレットＰＣおよびスマートフォンのうちの１種である、請求項１に記載のメモリーカードアダプター。
【請求項６】
該Ｍｉｃｒｏ  ＳＤカードスロットが、さらに該Ｍｉｃｒｏ  ＳＤカードと電気的に接続される複数の導電端子を含み、これらの導電端子が該動的スイッチと電気的に接続される、請求項１に記載のメモリーカードアダプター。
【発明の詳細な説明】
【技術分野】
【０００１】
本発明は、メモリーカードアダプターに関し、特に、無線送信受信ユニットおよび処理チップを有するメモリーカードアダプターに関する。
【背景技術】
【０００２】
科学技術の発展と進歩に伴い、軽く、薄く、小さい電子製品は、開発の傾向となったようである。このほか、無線通信ネットワーク技術の進歩により、電子製品の多くが無線通信ネットワークによって、データの送信および受信を行うことができる。このような傾向により、メモリー装置は体積が小さく、かつ記憶容量が大きい方向へと発展している。セキュアデジタル（Ｓｅｃｕｒｅ  Ｄｉｇｉｔａｌ、ＳＤ）メモリーカードを搭載したデジタルカメラを例とすると、ユーザは常に撮影した写真をウェブアルバムおよびブログにアップロードするか、またはそれをパソコンにアップロードして写真の編集を行う。しかし、写真をアップロードする前に、ユーザは撮影を停止する必要があり、さらにメモリーカードをパソコンに接続した後に、ようやく写真データのアップロードを行うことができる。
【０００３】
ほかに、タブレットＰＣおよびスマートフォン（以下携帯型デバイスと略す）の出現により、その薄い、軽い、小さいという特徴のため、既存のメモリーカードを異なる型の携帯型デバイス（例えばＩＰｈｏｎｅ、ＩＰａｄ、ＳｅｎｓａｔｉｏｎおよびＧａｌａｘｙ  Ｓ２など）に接続してデータ送信を行うことができなくなった。したがって、ユーザは、既存のメモリーカード内のデータをスマートフォンに送信したいとき、メモリーカードをカードリーダによりパソコン本体に接続してから、スマートフォンをパソコンに接続し、記憶データを受信する必要があり、ユーザにとって操作上面倒である。
【０００４】
以上を総合すると、すべての当業者が従来技術において容易に理解すべきことは、メモリーカードがユニキャスト送信を行うことしかできず、マルチタスクを行うことができない（例えば写真撮影およびデータ送信を同時に行うことができない）ことと考えられる。このほか、既存のメモリーカードを異なる型の携帯型デバイスと接続し、直接データ送信を行うことができないため、利便性を有さない問題が存在する。
【発明の概要】
【発明が解決しようとする課題】
【０００５】
本発明で解決したい技術的問題および目的は、以下の通りである。
【０００６】
上述の従来技術を考慮すると、メモリーカードがユニキャスト送信を行うことしかできず、マルチタスクを行うことができないこと、および既存のメモリーカードを異なる型の携帯型デバイスと接続し、直接データ送信を行うことができないことにより、利便性を有さない問題が普遍的に存在する。
【０００７】
このため、本発明は、メモリーカードアダプターを提供する。メモリーカードアダプターは、Ｍｉｃｒｏ  ＳＤカードスロット、メモリーカードインターフェース、無線送信受信ユニットおよび処理チップを含む。さらに処理チップが、動的スイッチおよび処理ユニットを含むことにより、メモリーカードはマルチタスクを行うことができ、さらに無線通信でデータの送信および受信を行うことができる。
【課題を解決するための手段】
【０００８】
本発明において、問題を解決する技術的手段は、以下の通りである。
【０００９】
本発明は、Ｍｉｃｒｏ  ＳＤカードスロット、メモリーカードインターフェース、処理チップ、および無線送信受信ユニットを含む、メモリーカードアダプターを提供する。Ｍｉｃｒｏ  ＳＤカードスロットは、Ｍｉｃｒｏ  ＳＤカードを収容し、処理チップは動的スイッチおよび処理ユニットを含む。動的スイッチは、Ｍｉｃｒｏ  ＳＤカードスロットおよびメモリーカードインターフェースと電気的に接続され、処理ユニットは動的スイッチと電気的に接続される。このうち、無線送信受信ユニットが第１アクセス信号を動的スイッチに送信するとき、動的スイッチはメモリーカードインターフェースのタスク状態を検出する。タスク状態がアイドル状態であるとき、処理ユニットが動的スイッチを無線送信受信ユニットに切替接続させ、さらに動的スイッチに第１アクセス信号をＭｉｃｒｏ  ＳＤカードスロットに送信させる。これにより、無線送信受信ユニットがＭｉｃｒｏ  ＳＤカードのデータアクセスを行う。
【００１０】
好ましくは、上述のメモリーカードアダプターにおいて、動的スイッチはさらにレジスタを含む。動的スイッチが無線送信受信ユニットに切替接続され、さらにメモリーカードインターフェースが、第２アクセス信号を動的スイッチに送信するとき、レジスタが第２アクセス信号を記憶し、動的スイッチは無線送信受信ユニットの動作状態を検出する。動作状態が中断可能であるとき、処理ユニットが動的スイッチを該メモリーカードインターフェースに切替接続させ、さらに動的スイッチにレジスタの第２アクセス信号をＭｉｃｒｏ  ＳＤカードスロットに送信させる。これにより、メモリーカードインターフェースが、Ｍｉｃｒｏ  ＳＤカードのデータアクセスを行う。
【００１１】
好ましくは、上述のメモリーカードアダプターにおいて、該携帯型デバイスはデジタルカメラ、携帯情報端末（Ｐｅｒｓｏｎａｌ  Ｄｉｇｉｔａｌ  Ａｓｓｉｓｔａｎｔ、ＰＤＡ）、タブレットＰＣおよびスマートフォンのうちの１種である。ほかに、Ｍｉｃｒｏ  ＳＤカードスロットは、Ｍｉｃｒｏ  ＳＤカードと電気的に接続される複数の導電端子をさらに含み、これらの導電端子は動的スイッチと電気的に接続される。
【００１２】
このほか、上述のメモリーカードアダプターにおいて、無線送信受信ユニットはＷｉｍａｘ、Ｗｉ−Ｆｉ、ＲＦ、Ｂｌｕｅｔｏｏｔｈ、ＧＰＳおよびＧＳＭのうちの１種である。処理ユニットは、マイクロコントローラ（Ｍｕｌｔｉｐｏｉｎｔ  Ｃｏｎｔｏｒｏｌ  Ｕｎｉｔ、ＭＣＵ）および中央処理装置（Ｃｅｎｔｒａｌ  Ｐｒｏｃｅｓｓｉｎｇ  Ｕｎｉｔ、ＣＰＵ）のうちの１種である。
【発明の効果】
【００１３】
本発明を先行技術と対比した効果は、以下の通りである。
【００１４】
上述の従来技術と比較すると、メモリーカードはユニキャスト送信を行うことしかできず、マルチタスクを行うことができないこと、および既存のメモリーカードを異なる型の携帯型デバイスと接続し、直接データ送信を行うことができないことにより、利便性を有さない問題が普遍的に存在する。
【００１５】
本発明で提供するメモリーカードアダプターは、無線通信によりデータの送信および受信を行うことができ、さらに動的スイッチにより、メモリーカードインターフェースおよび無線通信送信のタスク状態を検出することができる。その結果、メモリーカードアダプターはマルチタスクを行うことができ、これにより、データアクセスにおける利便性が増す。
【００１６】
本発明で採用した具体的実施例について、以下の実施例および図により、さらなる説明を行う。
【図面の簡単な説明】
【００１７】
【図１】図１は、本発明の好ましい実施例における装置のブロック概要図を示す。
【発明を実施するための形態】
【００１８】
本発明で提供するメモリーカードアダプターは、各種のメモリーアダプターカードに幅広く利用でき、その組み合わせによる実施方式は非常に多いため、ここでは省略する。好ましい実施例を列挙して具体的に説明するのみである。
【実施例】
【００１９】
図１を参照されたい。図１は、本発明の好ましい実施例における装置のブロック概要図を示す。図１に示すように、メモリーカードアダプター１は、Ｍｉｃｒｏ  ＳＤカードスロット１１、メモリーカードインターフェース１２、処理チップ１３、および無線送信受信ユニット１４を含む。Ｍｉｃｒｏ  ＳＤカードスロット１１は、複数の導電端子１１１を含み（図中には１つのみ示す）、処理チップ１３は動的スイッチ１３１および処理ユニット１３２を含む。動的スイッチ１３１はＭｉｃｒｏ  ＳＤカードスロット１１と電気的に接続され、さらに該導電端子１１１は動的スイッチ１３１と電気的に接続され、動的スイッチ１３１はレジスタ１３１１を含む。メモリーカードインターフェース１２および処理ユニット１３２は、動的スイッチ１３１と電気的に接続される。そのうち、処理ユニット１３２はマイクロコントローラ（Ｍｕｌｔｉｐｏｉｎｔ  Ｃｏｎｔｒｏｌ  Ｕｎｉｔ、ＭＣＵ）および中央処理装置（Ｃｅｎｔｒａｌ  Ｐｒｏｃｅｓｓｉｎｇ  Ｕｎｉｔ、ＣＰＵ）のうちの１種である。
【００２０】
無線送信受信ユニット１４は、動的スイッチ１３１と電気的に接続される。さらに無線送信受信ユニット１４は、Ｗｉｍａｘ、Ｗｉ−Ｆｉ、ＲＦ、Ｂｌｕｅｔｏｏｔｈ、ＧＰＳおよびＧＳＭのうちの１種である。
【００２１】
このうち、本好ましい実施例において、メモリーカードインターフェース１２は、携帯型デバイス（図示せず）と電気的に接続され、該導電端子１１１はＭｉｃｒｏ  ＳＤカード２と電気的に接続される。このうち、携帯型デバイスは、デジタルカメラ、携帯情報端末（Ｐｅｒｓｏｎａｌ  Ｄｉｇｉｔａｌ  Ａｓｓｉｓｔａｎｔ、ＰＤＡ）、タブレットＰＣおよびスマートフォンのうちの１種である。
【００２２】
以下にさらなる説明を行う。携帯型デバイスがデジタルカメラであるとき、処理ユニット１３２は中央処理装置である。ユーザがメモリーカードアダプター１をデジタルカメラと連結し、Ｍｉｃｒｏ  ＳＤカード２をＭｉｃｒｏ  ＳＤカードスロット１１に挿入すると、メモリーカードインターフェース１２はデジタルカメラと電気的に接続され、該導電端子１１１はＭｉｃｒｏ−ＳＤカード２と電気的に接続される。
【００２３】
このうち、ユーザが、無線送信受信ユニット１４により、Ｍｉｃｒｏ−ＳＤカード２に記憶したデータをスマートフォンに送信したいとき、無線送信受信ユニット１４は、第１アクセス信号Ｓ１を動的スイッチ１３１に送信し、レジスタ１３１１が第１アクセス信号Ｓ１を記憶する。動的スイッチ１３１は、メモリーカードインターフェース１２のタスク状態（すなわちユーザがデジタルカメラを利用して撮影を行っているかどうか）を検出する。メモリーカードインターフェース１２のタスク状態がアイドル状態（すなわちユーザが撮影を行っていない）であるとき、処理ユニット１３２が、動的スイッチ１３１を無線送信受信ユニット１４に切替接続させ、さらに動的スイッチ１３１にレジスタ１３１１の第１アクセス信号Ｓ１をＭｉｃｒｏ  ＳＤカードスロット１１に送信させる。これにより、無線送信受信ユニット１４が、Ｍｉｃｒｏ−ＳＤカード２に記憶したデータを送信する。これと反対に、スマートフォンが送信するデータをＭｉｃｒｏ−ＳＤカード２で受信するのも、上述と同じであるため、ここでは省略する。
【００２４】
ほかに、ユーザが、Ｍｉｃｒｏ−ＳＤカード２に記憶したデータを送信するか、またはデータを受信してＭｉｃｒｏ−ＳＤカード２に保存し（すなわち動的スイッチ１３１を無線送信受信ユニット１４に切替接続させる）、さらに撮影を同時に行いたいとき、メモリーカードインターフェース１２が、第２アクセス信号Ｓ２を動的スイッチ１３１に送信し、動的スイッチ１３１は無線送信受信ユニット１４の動作状態（すなわちデータの送信または受信を行っているかどうか）を検出する。動作状態が中断可能であるとき、処理ユニット１３２が、動的スイッチ１３１をメモリーカードインターフェース１２に切替接続させ、さらに動的スイッチ１３１にレジスタ１３１１の第２アクセス信号Ｓ２をＭｉｃｒｏ  ＳＤカードスロット１１に送信させる。これにより、メモリーカードインターフェース１２が、Ｍｉｃｒｏ−ＳＤカード２のデータアクセスを行い、これにより、ユーザが写真を撮影した後、メモリーカードインターフェース１２は、ユーザが撮影した写真データをＭｉｃｒｏ−ＳＤカード２に保存する。
【００２５】
簡単に述べると、メモリーカードインターフェース１２が第２アクセス信号Ｓ２を送信するのであろうと、または無線送信受信ユニット１４が第１アクセス信号Ｓ１を動的スイッチ１３１に送信するときであろうと、動的スイッチ１３１は常にメモリーカードインターフェース１２および無線送信受信ユニット１４の動作状態を検出する。処理ユニット１３２は、この動作状態に基づいて、動的スイッチ１３１に切換を行わせ、さらにはマルチタスクに達する。
【００２６】
前記を総合すると、本発明で提供するメモリーカードアダプターは、無線通信でデータの送信および受信を行うことができ、処理ユニットは動的スイッチにより、メモリーカードインターフェースおよび無線送信受信ユニットのタスク状態を検出することができる。その結果、メモリーカードアダプターはさらにマルチタスクを実行することができ、これにより、データアクセスにおける利便性が増す。
【００２７】
上述の本発明の実施例により、本発明が産業上の利用価値を確かに有していることがわかる。ただ、以上の実施例による説明は、本発明の好ましい実施例の説明に過ぎず、すべての当業者は、本発明の上述の実施例の説明に基づいて、その他種々の改良および変化を行うことができる。しかしながら、これらの本発明の実施例に基づいて行った種々の改良および変化は、依然として、本発明の趣旨および定められた特許請求の範囲内に属するとみなされる。
【符号の説明】
【００２８】
１  メモリーカードアダプター
１１  Ｍｉｃｒｏ  ＳＤカードスロット
１１１  導電端子
１２  メモリーカードインターフェース
１３  処理チップ
１３１  動的スイッチ
１３１１  レジスタ
１３２  処理ユニット
１４  無線送信受信ユニット
２  Ｍｉｃｒｏ  ＳＤカード
Ｓ１  第１アクセス信号
Ｓ２  第２アクセス信号
【図１】
2013218649.tif 000003